(57)【要約】【課題】安価に構築することができ、制御素子の不正取り替え、不正改造をきわめて効果的に防止することが可能な遊技機を提供する。【解決手段】パチンコ機の制御装置１は、上カバー６の左右にネジ保持部９ａ，９ｂ・・が切断容易に設けられており、左上方および右下方のネジ保持部９ａ，９ａをワンウェイクラッチタイプの封印ネジ１３によってネジ係合体２０，２０に螺着することによって、上カバー６と下カバー５とが合着されている。一方、ネジ保持部９ｂ，９ｂ・・内には、非ワンウェイクラッチタイプの封印ネジ１４が保持されている。封印ネジ１３は、回転操作部材を時計回りに回転させた場合にのみ、その回転力が雄ネジ部６１に伝達されて雄ネジ部が回転するようになっており、封印ネジ１４は、ネジ突起の垂直面にマイナスのドライバを押し当てて右向きに回転させた場合にのみ、回転するようになっている。【選択図】図４
2011041714.tif 000002
【特許請求の範囲】
【請求項１】
遊技内容を制御するための制御装置を備えた遊技機であって、
前記制御装置が、
上カバー、およびその上カバーと合致する下カバーによって、制御素子を設置した基板が覆われているとともに、
前記下カバーと螺合する封印ネジを保持した複数のネジ保持部が、切断可能な取付片を介して前記上カバーの端縁に設けられており、
そのネジ保持部に保持された封印ネジを下カバーと螺合することによって上カバーを下カバーに対して閉じた状態で保持し、下カバーと螺合されたネジ保持部を上カバーから切断することによって、上カバーと下カバーとを分離するものであるとともに、
前記封印ネジの内の一部が、
ネジ部を有する回転部材の内周または外周に回転操作部材を設け、その回転操作部材は前記回転部材の外周ほぼ全域を覆う覆部を有し、かつ、前記回転部材と回転操作部材との間にコイルスプリングを介在させるとともに、そのコイルスプリングの一端を前記回転部材あるいは回転操作部材のいずれか一方に止め、前記ネジ部を締め付ける方向に回転操作部材を回転させたときコイルスプリングのコイル径を縮径もしくは拡径して、コイルスプリングの内周もしくは外周を回転部材または回転操作部材に圧接し、それらの回転部材と回転操作部材とを一体回転させる一方、前記回転操作部材を、前記ネジ部を緩める方向に回転させたとき、前記コイルスプリングの圧接力を小さくして、回転部材と回転操作部材とが相対回転するワンウェイクラッチ機構を備えており、前記ネジ部を締め付け対象にネジ結合させるとともに、回転操作部材を締め付け方向に回転させた場合に、ネジ結合の締め付け力が、予め定めた設定値に達したときに、回転部材と回転操作部材とが、前記スプリングの圧接力に抗して相対回転するワンウェイクラッチタイプの封印ネジであることを特徴とする遊技機。
【請求項２】
遊技内容を制御するための複数の制御装置を備えた遊技機であって、
前記各制御装置が、
上カバー、およびその上カバーと合致する下カバーによって、制御素子を設置した基板が覆われているとともに、
前記下カバーと螺合する封印ネジを保持したネジ保持部が、切断可能な取付片を介して前記上カバーの端縁に設けられており、
そのネジ保持部に保持された封印ネジを下カバーと螺合することによって上カバーを下カバーに対して閉じた状態で保持し、下カバーと螺合されたネジ保持部を上カバーから切断することによって、上カバーと下カバーとを分離するものであるとともに、
前記制御装置の内の一部の封印ネジが、
ネジ部を有する回転部材の内周または外周に回転操作部材を設け、その回転操作部材は前記回転部材の外周ほぼ全域を覆う覆部を有し、かつ、前記回転部材と回転操作部材との間にコイルスプリングを介在させるとともに、そのコイルスプリングの一端を前記回転部材あるいは回転操作部材のいずれか一方に止め、前記ネジ部を締め付ける方向に回転操作部材を回転させたときコイルスプリングのコイル径を縮径もしくは拡径して、コイルスプリングの内周もしくは外周を回転部材または回転操作部材に圧接し、それらの回転部材と回転操作部材とを一体回転させる一方、前記回転操作部材を、前記ネジ部を緩める方向に回転させたとき、前記コイルスプリングの圧接力を小さくして、回転部材と回転操作部材とが相対回転するワンウェイクラッチ機構を備えており、前記ネジ部を締め付け対象にネジ結合させるとともに、回転操作部材を締め付け方向に回転させた場合に、ネジ結合の締め付け力が、予め定めた設定値に達したときに、回転部材と回転操作部材とが、前記スプリングの圧接力に抗して相対回転するワンウェイクラッチタイプの封印ネジであることを特徴とする遊技機。
【請求項３】
前記封印ネジが、
雄ネジ部にシャフトからなる回転部材を同一軸線上に設け、その回転部材の周囲に、その回転部材の外径よりもわずかに小さいコイル径を有するコイルスプリングを設け、このコイルスプリングを設けた回転部材を、袋ナット状の覆部を有する回転操作部材で覆うとともに、前記コイルスプリングの一端を回転操作部材の内面に止めたものであることを特徴とする請求項１、または請求項２に記載の遊技機。
【発明の詳細な説明】
【技術分野】
【０００１】
本発明は、パチンコ機、スロットマシーン等の遊技機に関するものであり、詳しくは、遊技内容を制御するための制御装置を覆う上下カバーが、一度締め付けたら外すことができない封印ネジによって封印された遊技機に関するものである。
【背景技術】
【０００２】
パチンコ機、スロットマシーン等の遊技機には、遊技内容を制御するための制御装置が設けられており、当該制御装置の内部の基板上には、ＲＯＭやＣＰＵ等の制御素子が設置されている。かかる制御素子は、パチンコ機の作動内容を制御するものであるため、パチンコ機が遊技者にとって都合良く作動するように、不正に取り替えられたり不正に改造されたりすることがある。このため、かかる不正を防止するために、従来の遊技機の制御装置の中には、複数のネジ保持部を左右両端縁に設けた上カバーと、その上カバーと合致する下カバーとによって、制御素子を設置した基板を覆うとともに、左右のネジ保持部の内の一つずつを、封印ネジ（基端部の外面に対して垂直な面と基端部の外面に対して緩やかに傾斜した面とを有するネジ突起が基端部に設けられており、締め付け方向に回すときには、当該ネジ突起がドライバーとかみ合い、緩める方向に回すときには、当該ネジ突起がドライバーとかみ合わない構造を有するもの）を用いて、ドライバ等では外れないように下カバーに螺着することにより、ネジ保持部を切断しなければ上カバーを取り外すことができないようにして、上カバーの取り外しの痕跡が残るように構成したものがある（特許文献１）。
【先行技術文献】
【特許文献】
【０００３】
【特許文献１】特開平１１−０００４４４号公報
【発明の概要】
【発明が解決しようとする課題】
【０００４】
しかしながら、上記した上カバーに設けられたネジ保持部を封印ネジによって下カバーと螺着した制御装置は、ペンチ等の工具によって頭部を把持して封印ネジを緩める方向に回せば、当該封印ネジを外すことが可能となってしまうため、容易に上カバーを取り外すことができてしまう。このため、そのような制御装置を設けた遊技機においては、近年では、制御素子の不正取り替え、不正改造を効果的に防止することができなくなっていた。
【０００５】
本発明の目的は、上記従来の遊技機の問題点を解消し、きわめて制度の高い封印機能を発揮する封印ネジによって制御装置の上下カバーが封印されており、制御素子の不正取り替え、不正改造をきわめて効果的に防止することが可能で安価に構築することができる実用的な遊技機を提供することにある。
【課題を解決するための手段】
【０００６】
本発明の内、請求項１に記載された発明は、遊技内容を制御するための制御装置を備えた遊技機であって、前記制御装置が、上カバー、およびその上カバーと合致する下カバーによって、制御素子を設置した基板が覆われているとともに、前記下カバーと螺合する封印ネジを保持した複数のネジ保持部が、切断可能な取付片を介して前記上カバーの端縁に設けられており、そのネジ保持部に保持された封印ネジを下カバーと螺合することによって上カバーを下カバーに対して閉じた状態で保持し、下カバーと螺合されたネジ保持部を上カバーから切断することによって、上カバーと下カバーとを分離するものであるとともに、前記封印ネジの内の一部が、ネジ部を有する回転部材の内周または外周に回転操作部材を設け、その回転操作部材は前記回転部材の外周ほぼ全域を覆う覆部を有し、かつ、前記回転部材と回転操作部材との間にコイルスプリングを介在させるとともに、そのコイルスプリングの一端を前記回転部材あるいは回転操作部材のいずれか一方に止め、前記ネジ部を締め付ける方向に回転操作部材を回転させたときコイルスプリングのコイル径を縮径もしくは拡径して、コイルスプリングの内周もしくは外周を回転部材または回転操作部材に圧接し、それらの回転部材と回転操作部材とを一体回転させる一方、前記回転操作部材を、前記ネジ部を緩める方向に回転させたとき、前記コイルスプリングの圧接力を小さくして、回転部材と回転操作部材とが相対回転するワンウェイクラッチ機構を備えており、前記ネジ部を締め付け対象にネジ結合させるとともに、回転操作部材を締め付け方向に回転させた場合に、ネジ結合の締め付け力が、予め定めた設定値に達したときに、回転部材と回転操作部材とが、前記スプリングの圧接力に抗して相対回転するワンウェイクラッチタイプの封印ネジであることを特徴とするものである。上記予め定めた設定値は、当該封印ネジおよび締め付け対象の破壊強度などを基準に設定される。たとえば、回転操作部材を強引に回して、ネジ部を破壊したり、あるいは締め付け対象を破壊したりすれば、封印効果がなくなってしまう。したがって、上記設定値は、ネジをしっかり締め付けた後に、ネジ部や締め付け対象を破壊しない範囲で、回転操作部材が空転できる値ということになる。
【０００７】
請求項２に記載された発明は、遊技内容を制御するための複数の制御装置を備えた遊技機であって、前記各制御装置が、上カバー、およびその上カバーと合致する下カバーによって、制御素子を設置した基板が覆われているとともに、前記下カバーと螺合する封印ネジを保持したネジ保持部が、切断可能な取付片を介して前記上カバーの端縁に設けられており、そのネジ保持部に保持された封印ネジを下カバーと螺合することによって上カバーを下カバーに対して閉じた状態で保持し、下カバーと螺合されたネジ保持部を上カバーから切断することによって、上カバーと下カバーとを分離するものであるとともに、前記制御装置の内の一部の封印ネジが、ネジ部を有する回転部材の内周または外周に回転操作部材を設け、その回転操作部材は前記回転部材の外周ほぼ全域を覆う覆部を有し、かつ、前記回転部材と回転操作部材との間にコイルスプリングを介在させるとともに、そのコイルスプリングの一端を前記回転部材あるいは回転操作部材のいずれか一方に止め、前記ネジ部を締め付ける方向に回転操作部材を回転させたときコイルスプリングのコイル径を縮径もしくは拡径して、コイルスプリングの内周もしくは外周を回転部材または回転操作部材に圧接し、それらの回転部材と回転操作部材とを一体回転させる一方、前記回転操作部材を、前記ネジ部を緩める方向に回転させたとき、前記コイルスプリングの圧接力を小さくして、回転部材と回転操作部材とが相対回転するワンウェイクラッチ機構を備えており、前記ネジ部を締め付け対象にネジ結合させるとともに、回転操作部材を締め付け方向に回転させた場合に、ネジ結合の締め付け力が、予め定めた設定値に達したときに、回転部材と回転操作部材とが、前記スプリングの圧接力に抗して相対回転するワンウェイクラッチタイプの封印ネジであることを特徴とするものである。
【０００８】
請求項３に記載された発明は、請求項１、または請求項２に記載された発明において、前記封印ネジが、雄ネジ部にシャフトからなる回転部材を同一軸線上に設け、その回転部材の周囲に、その回転部材の外径よりもわずかに小さいコイル径を有するコイルスプリングを設け、このコイルスプリングを設けた回転部材を、袋ナット状の覆部を有する回転操作部材で覆うとともに、前記コイルスプリングの一端を回転操作部材の内面に止めたものであることを特徴とするものである。上記コイルスプリングのコイル径は、回転部材に対する圧入代が必要になるが、それはネジを締める方向に回転操作部材を回したとき、上記圧入代分の力を介して回転操作部材と回転部材とを一体化させなければならない。この締め代分を確保するコイル径が、当該回転部材の外径よりもわずかに小さいコイル径ということである。
【発明の効果】
【０００９】
請求項１に記載された遊技機の制御装置に用いられる封印ネジは、回転操作部材を締める方向に回したときには、ネジ部がその締め付け方向に回って、締め付け対象を封印する。この状態からネジ部を緩める方向に回転操作部材を回すと、この回転操作部材が空回りするので、当該封印ネジを緩めることができない。しかも、上記回転操作部材に設けた覆部は、ネジ部と直結している回転部材の外周ほぼ全域を覆うので、上記回転部材をペンチなどで直接摘んでそれを回すことができない。したがって、かかる封印ネジによれば、ネジ部を締める方向に回すときには、通常のネジと同様に締め付け力を発揮させることができる。また、ネジ部を緩める方向に回転操作部材を回そうとしても、それが空回りしてしまう。しかも、その回転部材は空回りする回転操作部材の覆部に覆われているので、回転部材を直接回すこともできない。結局、当該封印ネジは、それを締めることはできるが、緩めることができないということになり、ほぼ完璧な封印機能を発揮することができる。また、請求項１に記載された遊技機の制御装置に用いられる封印ネジによれば、ネジ結合の締め付け力が、予め定めた設定値に達したとき、回転部材と回転操作部材とが、上記スプリングの圧接力に抗して相対回転するので、当該封印ネジを必要以上に締め付けて、そのネジ部をねじ切ったりすることができない。このように、ネジ部を緩めることもできなければ、ねじ切ったりすることもできないので、封印状態を解除できず、完璧な封印機能を発揮することができる。それゆえ、当該封印ネジを利用した制御装置は、取付片を切断することなく上カバーが不正に取り外される事態をより効果的に防止することができる。したがって、請求項１に記載された遊技機によれば、制御装置の内部に搭載された制御素子の不正取り替え、不正改造を非常に効果的に防止することが可能となる。加えて、請求項１に記載された遊技機は、制御装置の一部のネジ保持部にワンウェイクラッチタイプの封印ネジが使用されており、他のネジ保持部に非ワンウェイクラッチタイプの封印ネジが使用されているため、全てのネジ保持部にワンウェイクラッチタイプの封印ネジを使用した場合に比べて、安価に構築することができる。
【００１０】
請求項２に記載された遊技機の制御装置も、請求項１に記載された遊技機の制御装置と同様に、封印ネジが完璧な封印機能を発揮するため、取付片を切断することなく上カバーが不正に取り外される事態をより効果的に防止することができる。したがって、請求項２に記載された遊技機も、請求項１に記載された遊技機と同様に、制御装置の内部に搭載された制御素子の不正取り替え、不正改造を非常に効果的に防止することができる。また、請求項２に記載された遊技機は、複数の制御装置の内の一部がワンウェイクラッチタイプの封印ネジによって封印されており、他の制御装置が非ワンウェイクラッチタイプの封印ネジによって封印されているため、全ての制御装置ネジをワンウェイクラッチタイプの封印ネジで封印した場合に比べて、安価に構築することができる。
【００１１】
請求項３に記載された遊技機の制御装置に用いられる封印ネジは、回転部材の周囲に設けられたコイルスプリングの一端が回転操作部材の内面に止められているため、より一層完璧な封印機能を発揮することができる。それゆえ、当該封印ネジを利用した制御装置は、取付片を切断することなく上カバーが不正に取り外される事態を一層効果的に防止することができる。したがって、請求項３に記載された遊技機によれば、制御装置の内部に搭載された制御素子の不正取り替え、不正改造をきわめて効果的に防止することが可能となる。
【図面の簡単な説明】
【００１２】
【図１】パチンコ機の正面を示す説明図である。
【図２】パチンコ機の背面を示す説明図である。
【図３】遊技機用制御装置の正面図である。
【図４】図３におけるＡ−Ａ線断面を示す説明図である（ｂはａにおける波線部分の拡大図である）。
【図５】下カバーの下固着翼の正面を示す説明図である。
【図６】ワンウェイクラッチタイプの封印ネジの断面図（軸方向に沿って切断した場合の断面図）である。
【図７】非ワンウェイクラッチタイプの封印ネジの斜視図である。
【図８】遊技機用制御装置の斜視図（上カバーを開放した状態）である。
【図９】ワンウェイクラッチタイプの封印ネジの変更例を示す説明図（断面図）である。
【図１０】ワンウェイクラッチタイプの封印ネジの変更例を示す説明図（断面図）である。
【図１１】ワンウェイクラッチタイプの封印ネジの変更例を示す説明図（断面図）である。
【図１２】ワンウェイクラッチタイプの封印ネジの変更例を示す説明図（断面図）である。
【発明を実施するための形態】
【００１３】
以下、本発明の遊技機の一実施形態であるパチンコ機について、図面に基づいて、詳細に説明する。
【００１４】
＜第一実施形態＞
［パチンコ機の構造］
図１、図２は、それぞれ、第一実施形態に係るパチンコ機の正面、背面を示したものであり、パチンコ機８１の正面の中央よりやや上方には、略円形の遊技領域が設けられている。そして、遊技領域の下方には、供給皿と貯留皿とが上下に連設されており、貯留皿の右サイドには、発射ハンドルが突設されている。また、遊技領域の中央上部には、図柄表示装置が設けられており、図柄表示装置の下方には、チューリップ形状の普通電動役物（図柄始動口）が設けられている。さらに、普通電動役物の両サイドには、それぞれ、左ゲートおよび右ゲートが設けられており、普通電動役物の下側には、扉が前方へ開閉する形状の大入賞口が設置されている。加えて、遊技領域には、上記部材の他に、サイドランプ、電飾ランプ、種々の入賞口、風車、および多数の障害釘等が設けられている。一方、パチンコ機８１の背面の中央よりやや下側には、パチンコ機８１の作動内容を制御する制御装置１が設置されている。
【００１５】
［制御装置の構造］
図３は、制御装置１の正面図であり、図４は、図３におけるＡ−Ａ線断面を示す説明図である（なお、図４（ｂ）は、図４（ａ）の一部を拡大して示したものである）。制御装置１は、ＲＯＭ８やＣＰＵ等の種々の制御素子を搭載した基板４、透明な合成樹脂製の上カバー６および下カバー５等によって構成されている。
【００１６】
上カバー６は、幅広な箱形に形成されており、左右両サイドに、縦長な長方形状の外形（正面から見た場合の外形）を有する上固着翼２６，２６が設けられている。各上固着翼２６，２６の上端縁には、それぞれ、係止孔１２が穿設されている。さらに、各係止孔１２，１２の下方には、それぞれ、略円筒状で他のものより若干大径のネジ保持部９ａ、および、当該ネジ保持部９ａより小径で略円筒状の３個のネジ保持部９ｂ，９ｂ・・が、左右に位置した切断可能な取付片１０，１０によって、各上固着翼１６，１６の前面に一体的に連設されており、後方に突出した状態になっている。なお、大径のネジ保持部９ａおよび小径のネジ保持部９ｂ，９ｂ・・は、径が異なる以外は同様な構造を有している。
【００１７】
また、図４の如く、各ネジ保持部９ａ，９ａ，９ｂ，９ｂ・・の略中央には、仕切板３５が形成されており、仕切板３５の中央には、ネジ挿通孔１８が穿設されている。さらに、仕切板３５の裏側には、２つの弾性片２８，２８が後方に突出するように設けられている。そして、左側の最上方のネジ保持部９ａ、および、右側の最下方のネジ保持部９ａ（すなわち、「１」を付したもの）には、ワンウェイクラッチタイプの封印ネジ１３が、ネジ挿通孔１８に挿通され、弾性片２８，２８によって先端を把持された状態で保持されている。一方、左側の最上方以外のネジ保持部９ｂ，９ｂ・・、および、右側の最下方以外のネジ保持部９ｂ，９ｂ・・（すなわち、「２」〜「４」を付したもの）には、ワンウェイクラッチタイプとは異なる封印ネジ（以下、非ワンウェイクラッチタイプの封印ネジという）１４が、ネジ挿通孔１８に挿通され、弾性片２８，２８によって先端を把持された状態で保持されている。なお、ワンウェイクラッチタイプの封印ネジ１３は、非ワンウェイクラッチタイプの封印ネジ１４よりヘッド部が大きいため、大径のネジ保持部９ａには嵌め込み可能であるが、小径のネジ保持部９ｂ，９ｂ・・には嵌め込むことができないようになっている。
【００１８】
一方、下カバー５は、上カバー６と同一幅に形成されており、左右両サイドに、上カバー６の各上固着翼１６，１６と同様な縦長の長方形状の外形（正面から見た場合の外形）を有する下固着翼１７，１７が連設されている。そして、各下固着翼１７，１７の上端縁には、それぞれ、先端を矢尻状に形成した係止突片１１が突設されている。また、図５は、各下固着翼１７の正面を示したものであり、各下固着翼１７，１７の上カバー６の各ネジ保持部９，９・・と対応する位置には、ネジ孔３６を穿設してなるネジ係合体２０，２０・・が、支持アーム３３，３３および支持リブ３４，３４によって左右の壁板１９，１９等に支持された状態で設けられている。
【００１９】
制御装置１は、基板４を下カバー５の内面に螺着した状態で、上カバー６の各上固着翼１６，１６を下カバー５の各下固着翼１７，１７に重ね合わせ、各係止突片１１，１１を各係止孔１２，１２に係止させた状態で、左側の最上方のネジ保持部９ａ（「１」を付したもの）に保持されたワンウェイタイプの封印ネジ１３を時計回りに回転させることによって左側の最上方のネジ係合体２０に螺着するとともに、右側の最下方のネジ保持部９ａ（「１」を付したもの）に保持されたワンウェイタイプの封印ネジ１３を時計回りに回転させることによって右側の最下方のネジ係合体２０に螺着することによって、組み立てられている。そして、ＲＯＭ８やＣＰＵ等の種々の制御素子を搭載した基板４が、上カバー６および下カバー５によって覆われた状態になっている（なお、図３の如く、基板４は、上側の一部のみ露出した状態になっている）。
【００２０】
［ワンウェイクラッチタイプの封印ネジの構造］
図６は、ワンウェイクラッチタイプの封印ネジ１３を示したものであり、当該封印ネジ１３は、金属製の雄ネジ部６１とこの雄ネジ部６１の軸線上に一体に設けた金属製の回転部材６２とを備えるとともに、この回転部材６２の先端すなわち雄ネジ部６１とは反対端にフランジ部６２ａを形成している。そして、上記回転部材６２の周囲には、コイルスプリング６３をはめているが、このコイルスプリング６３の内径は回転部材６２の外径よりも多少小さくして、コイルスプリング６３に圧入代を確保している。このようにしたコイルスプリング６３の上端すなわち上記フランジ部６２ａに隣接する端部には、外径方向に突出する突出部６３ａを設けている。
【００２１】
上記のようにコイルスプリング６３を圧入した回転部材６２は、金属製の回転操作部材６４の覆部６４ａで覆うが、この回転操作部材６４は袋ナット状にして、回転操作部材６４そのものが覆部６４ａとなる構成にしている。このようにした覆部６４ａの内壁面には軸線に平行にした掛け止溝６４ｂを形成するとともに、この掛け止溝６４ｂの下端を覆部６４ａの下端開口縁に開放している。そして、コイルスプリング６３を圧入した回転部材６２の上方から、回転操作部材６４をかぶせるときには、上記掛け止溝６４ｂに、コイルスプリング６３の突出部６３ａを挿入する。ただし、この突出部６３ａは、何らかの形で回転操作部材６４に固定されていればよい。
【００２２】
上記のようにして回転操作部材６４を回転部材６２にかぶせたら、回転操作部材６４の下端における開口をリング部材６５でふさぐ。このリング部材６５は、その外周を覆部６４ａの内側に圧入して固定するとともに、回転部材６２には相対回転自在にしている。なお、このリング部材６５は、回転操作部材６４を回転部材６２から引き抜く方向の大きな力が作用したとしてもそれが抜けないようにするためのものである。したがって、上記のように力が作用したとしても、リング部材６５が回転操作部材６４から抜けないようにするために十分な強度が確保できれば、圧入で十分であるが、その強度を維持できないときには、たとえば、リング部材６５と回転操作部材６４とを溶接したり、あるいはリング部材６５と回転操作部材６４とをネジではめ合わせたりしてもよい。
【００２３】
上記のようにリング部材６５をはめることによって、コイルスプリング６３が上記フランジ部６２ａとリング部材６５間に介在して、たとえば搬送時などに、回転部材６２が回転操作部材６４  から抜けるのを防止できる。なお、図中符号６６はワッシャーで、雄ネジ部６１と回転部材６２との境界部分に形成される段部に接触させるようにしている。
【００２４】
上記のようにした封印ネジ１３を使用するときには、雄ネジ部６１をたとえばケースなどの締め付け対象の雌ネジ部にはめるとともに、回転操作部材６４を、上記雄ネジ部６１を締め付ける方向に回す。このとき、コイルスプリング６３の圧入代分の力が作用しているので、雄ネジ部６１のネジ締め付け時の回転トルクが小さければ、回転操作部材６４の回転力で雄ネジ部６１を回すことができる。雄ネジ部６１がねじ込まれてその回転トルクが大きくなれば、回転操作部材６４と、雄ネジ部６１および回転部材６２とがわずかではあるが相対回転する。このときにコイルスプリング６３はその圧入代分の力で回転部材６２側と一体回転するとともに、突出部６３ａは回転操作部材６４と一体回転する。これによって、コイルスプリング６３が縮径して回転部材６２をその縮径力で保持し、回転操作部材６４の回転力を、コイルスプリング６３および回転部材６２を介して雄ネジ部６１に伝達する。したがって、雄ネジ部６１は回転操作部材６４の強い力で締め付けられることになる。
【００２５】
上記のように雄ネジ部６１が回転操作部材６４の回転力で締め付けられて、それがネジ終端に達し、それ以上雄ネジ部６１が回転できなくなった状態で、回転操作部材６４をさらに回転させようとしたときには、回転操作部材６４の回転トルクが、コイルスプリング６３のロックトルクに打ち勝ち、コイルスプリング６３が回転部材６２と相対回転し始める。この状態では  回転操作部材６４をどのように強い力で回しても、それが空回転することになる。したがって、回転操作部材６４を強く回しても雄ネジ部６１がねじ切れたりしない。
【００２６】
上記のように回転操作部材６４が空回転するためには、上記ロックトルクの大きさを設定値内に収める必要があるが、このロックトルクの大きさは、次の式で表すことができる。
ＴＬ＝（ＥＩδ／ＲＡ２）×（ｅ２πμＮ−１）  ・・・・・・・  （１）
ＴＳ＝（ＥＩδ／ＲＡ２）×｛１−（１／ｅ２πμＮ）｝  ・・・・  （２）
上記（１）式のＴＬはロックトルクであり、（２）式のＴＳはスリップトルクである。また、上記両式の記号は、次のとおりである。
Ｅ・・・・コイルスプリングの縦弾性係数
Ｉ・・・・コイルスプリングの断面２次モーメント
δ・・・・コイルスプリングの圧入代
ＲＡ・・・・コイルスプリングが嵌合する回転部材の半径
μ・・・・コイルスプリングと回転部材との間の摩擦係数
Ｎ・・・・コイルスプリングの有効巻き数
【００２７】
したがって、回転操作部材６４を締め付け方向に回転して雄ネジ部６１に作用させる最大トルクは、上記ロックトルクＴＬによって決めればよいことになる。また、ネジ結合の締め付け力が、予め定めた設定値に達したとき、回転部材と回転操作部材とが、上記スプリングの圧接力に抗して相対回転するといったときの設定値は、スリップトルクＴＳによって決めることができる。いずれにしても、上記ロックトルクおよびスリップトルクは、コイルスプリング６３の特性および回転部材６２の材質に応じて決まる相対的なものである。
【００２８】
また、雄ネジ部６１を締める方向に回転操作部材６４を回転させたとき、コイルスプリング６３の内径が縮径する条件は、コイルスプリング６３の巻き方向が雄ネジ部６１のつる巻き線の方向と同じで、しかも、上記突出部６３ａがコイルスプリング６３の上端において外側に突出していることである。ただし、コイルスプリング１の巻き方向を雄ネジ部６１のつる巻き線の方向と逆にしたときには、上記突出部６３ａをコイルスプリング６３の下端に位置させればよい。したがって、上記突出部６３ａの位置関係も相対的なものとなる。
【００２９】
上記のように回転操作部材６４を回して雄ネジ部６１を完全に締め付けたとき、回転操作部材６４の覆部６４ａで、回転部材６２の外周ほぼ全域が覆われていなければならない。もし、回転部材６２が露出していれば、この回転部材６２の露出している部分をペンチなどの工具を使って回すことができてしまう。したがって、回転部材６２の外周ほぼ全域を覆うとは、ペンチなどの工具を利用して回転部材６２を直接回すことができないようにすることであって、必ずしも全域を完全に覆わなくてもよい。
【００３０】
さらに、上記回転操作部材６４は、それが破壊されないようにするために、金属製であることが望ましいが、破壊されないだけの強度を維持できるなら、特に、その材質は問わない。また、雄ネジ部６１および回転部材６２の材質も、締め付け対象との相対的な関係において一定の強度を維持できれば、その材質は問わない。
【００３１】
上記の如く、ワンウェイクラッチ機構を利用したワンウェイクラッチタイプの封印ネジ１３は、回転操作部材６４を時計回りに回転させた場合には、その回転力が雄ネジ部６１に伝達されて雄ネジ部６１が回転し、回転操作部材６４を反時計回りに回転させた場合には、その回転力が雄ネジ部６１に伝達されず、雄ネジ部６１が回転しない状態を保持する。
【００３２】
［非ワンウェイクラッチタイプの封印ネジの構造］
図７は、非ワンウェイクラッチタイプの封印ネジ１４を示したものである。当該封印ネジ１４は、ヘッドに一対のネジ突起４１，４１が突設されており、それらのネジ突起４１，４１は、ヘッドの外面に対して垂直な面と、ヘッドの外面に対して緩やかに傾斜した面とを有している。このため、ネジ突起４１，４１の垂直面にマイナスのドライバを押し当てて右向きに回転させた場合には、ドライバとネジ突起の垂直面とが係合して回転するが、ドライバを左向きに回転させた場合には、ヘッド上でドライバとネジ突起とが係合せず回転しない。
【００３３】
［遊技機に設置された制御装置の作動内容］
上記の如くパチンコ機８１の裏面側の機構板に設置された制御装置１は、搭載されたＲＯＭ８やＣＰＵ等の種々の制御素子によって、パチンコ機の作動内容を制御する。
【００３４】
そして、上カバー６のネジ保持部９ａ，９ａと下カバー５のネジ係合体２０，２０とが、ワンウェイクラッチ機構を備えた封印ネジ１３，１３によって螺着されているため、封印ネジ１３，１３を螺着時と反対方向（左回り）に回転させることができず、ネジ保持部９ａとネジ係合体２０との螺着状態を解除することができない。それゆえ、上カバー６を取り外す場合には、ネジ係合体２０，２０と螺着したネジ保持部９ａ，９ａの前方に設けられた２つの取付片１０，１０・・を、ニッパ等の工具で切断し、かかるネジ保持部９ａ，９ａを上カバー６から切り離すことによって、上カバー６と下カバー５とを分離しなければならない。
【００３５】
また、再度 上カバー６を下カバー５に合着させる場合には、左側の最上方のネジ保持部９ａ，９ａ、および、右側の最下方のネジ保持部９ａ，９ａ以外のネジ保持部９ｂ，９ｂ（すなわち、未だネジ係合体２０と螺着していない同じ番号を付したネジ保持部９ｂ，９ｂ同士）を、それぞれ、封印ネジ１４，１４により同位置のネジ係合体２０，２０と螺着すれば良い。それゆえ、一旦、上カバー６と下カバー５とを分離した後でも、再度、上カバー６を下カバー５に合着させることができ、そのような上カバー６、下カバー５の分離、合着を４回繰り返すことができる。
【００３６】
制御装置１は、上記の如く、上カバー６を下カバー５と分離するためには、取付片１０，１０・・を切断することによりネジ係合体２０，２０と螺着されたネジ保持部９ａ，９ａを上カバー６から切り離さなければならないため、上カバー６が取り外された場合には、必ずその痕跡が残る。それゆえ、上カバー６の開閉の有無を容易に把握することができる。それにも拘わらず、各取付片１０，１０が容易に切断可能な構造を有しているため、それらの取付片１０，１０をニッパ等の工具で切断することによって、上カバー６を容易に取り外して、基板８上に設置された制御素子の内容をチェックすることができる。そして、チェックした後には、左上方および右下方のネジ保持部９ａ，９ａ以外のネジ保持部９ｂ，９ｂ・・の内の左右に位置した一組を、それぞれ、封印ネジ１４，１４により同位置のネジ係合体２０，２０と螺着すれば、ペンチ等の工具によって封印ネジ１４の頭部を把持しなければ、封印ネジ１３，１３を螺着時と反対方向に回転させることができず、ネジ保持部９ｂとネジ係合体２０との螺着状態を解除することができなくなる。
【００３７】
［第一実施形態に係るパチンコ機の効果］
パチンコ機８１の制御装置１に用いられる封印ネジ１３は、回転操作部材６４を締める方向に回したときには、ネジ部がその締め付け方向に回って、締め付け対象を封印する。この状態からネジ部を緩める方向に回転操作部材６４を回すと、この回転操作部材６４が空回りするので、当該封印ネジ１３を緩めることができない。しかも、回転操作部材６４に設けた覆部６４ｂは、ネジ部と直結している回転部材６２の外周ほぼ全域を覆うので、回転部材６２をペンチなどで直接摘んでそれを回すことができない。また、接着剤によってドライバ等の工具を封印ネジ１３のヘッド部に固着させて当該ヘッド部を緩める方向に回転させても、当該封印ネジ１３を取り外すことができない。したがって、かかる封印ネジ１３によれば、ネジ部を締める方向に回すときには、通常のネジと同様に締め付け力を発揮させることができる。また、ネジ部を緩める方向に回転操作部材６４を回そうとしても、それが空回りしてしまう。しかも、その回転部材６２は空回りする回転操作部材６４の覆部６４ｂに覆われているので、回転部材６２を直接回すこともできない。したがって、封印ネジ１３は、ほぼ完璧な封印機能を発揮することができる。それゆえ、封印ネジ１３を利用した制御装置１は、取付片１０，１０を切断することなく上カバー６が不正に取り外される事態を効果的に防止することができる。したがって、パチンコ機８１によれば、制御装置１の内部に搭載された制御素子（ＲＯＭ８）の不正取り替え、不正改造を効果的に防止することが可能となる。
【００３８】
また、封印ネジ１３によれば、ネジ結合の締め付け力が、予め定めた設定値に達したとき、回転部材６２と回転操作部材６４とが、コイルスプリング６３の圧接力に抗して相対回転するので、封印ネジ１３を必要以上に締め付けて、そのネジ部をねじ切ったりすることができない。したがって、封印ネジ１３は、ネジ部を緩めることもできなければ、ねじ切ったりすることもできないので、封印状態を解除できず、完璧な封印機能を発揮することができる。それゆえ、封印ネジ１３を利用した制御装置１は、取付片１０，１０を切断することなく上カバー６が不正に取り外される事態をより効果的に防止することができる。したがって、パチンコ機８１によれば、制御装置１の内部に搭載された制御素子（ＲＯＭ８）の不正取り替え、不正改造を非常に効果的に防止することが可能となる。
【００３９】
さらに、封印ネジ１３は、回転部材６２の周囲に設けられたコイルスプリング６３の一端が回転操作部材６４の内面に止められているため、より一層完璧な封印機能を発揮することができる。それゆえ、封印ネジ１３を利用した制御装置１は、取付片１０，１０を切断することなく上カバー６が不正に取り外される事態を一層効果的に防止することができる。したがって、パチンコ機８１によれば、制御装置１の内部に搭載された制御素子（ＲＯＭ８）の不正取り替え、不正改造をきわめて効果的に防止することが可能となる。
【００４０】
加えて、パチンコ機８１は、制御装置１の上カバー６の左上方のネジ保持部９ａ、および、右下方のネジ保持部９ａに、ワンウェイクラッチタイプの封印ネジ１３が使用されており、左上方以外のネジ保持部９ｂ，９ｂ・・、および、右下方以外のネジ保持部９ｂ，９ｂ・・には、非ワンウェイクラッチタイプの封印ネジ１４が使用されているため、全てのネジ保持部にワンウェイクラッチタイプの封印ネジ１３を使用した場合に比べて、安価に構築することができる。
【００４１】
また、パチンコ機８１の制御装置１は、ワンウェイクラッチタイプの封印ネジ１３を保持するネジ保持部９ａの大きさと非ワンウェイクラッチタイプの封印ネジ１４を保持するネジ保持部９ｂの大きさとが異っているので、予め想定したネジ保持部９ａ以外のネジ保持部９ｂ，９ｂ・・を誤ってワンウェイクラッチタイプの封印ネジ１３で螺着してしまう、という不具合が生じない。
【００４２】
＜第二実施形態＞
第二実施形態のパチンコ機８１’は、制御装置の構造が第一実施形態のパチンコ機８１と異なっている。その他の構成は、第一実施形態のパチンコ機８１と同様である。
【００４３】
［制御装置の構造］
図８は、第二実施形態の制御装置２１を示す斜視図である。制御装置２１は、ＲＯＭ等の種々の制御素子を搭載した基板２２、透明な合成樹脂製の上カバー２３および下カバー２４等によって形成されている。
【００４４】
上カバー２３は、片面を開口した直方体の箱形に形成されており、フラットな平板部の上下左右が後方へ略直角に折り曲げられた状態になっている。そして、かかる箱状の本体部の上面および下面には、それぞれ、４個のネジ保持部２５，２５・・が、同一直線状に位置するように突設されている。各ネジ保持部２５，２５・・は、矩形のベース板の表面に、筒状部が水平方向に突出するように設けられており、その筒状体の基端の中央には、ネジ孔２６が穿設されている。なお、本体部上面のネジ保持部２５，２５・・の筒状部は、本体部下面のネジ保持部２５，２５・・の筒状部に比べて、若干大径に形成されている。
【００４５】
また、各ネジ保持部２５，２５・・は、基端に位置した切断可能な３個の取付片２７，２７によって、上面あるいは下面に一体的に連設されている。そして、本体部上面のネジ保持部２５，２５・・の筒状部には、第一実施形態と同様なワンウェイクラッチタイプの封印ネジ（図示せず）が、ネジ孔２６に挿通された状態で保持されている。一方、本体部下面のネジ保持部２５，２５・・の筒状部には、第一実施形態と同様な非ワンウェイクラッチタイプの封印ネジ（図示せず）が、ネジ孔２６に挿通された状態で保持されている。
【００４６】
さらに、上面および下面の左右の両端際には、帯状の係合片３２，３２が上面あるいは下面から外側に突出するように設けられており、上面あるいは下面後方側の端縁と所定の距離を隔てて平行に対峙した状態になっている。加えて、上カバー２３の裏面には、基板２２が螺着されており、当該基板２２上のコネクタが、上カバー２３の左端に設けられたコネクタ嵌合部から露出した状態になっている。
【００４７】
一方、下カバー２４は、上カバー２３と略同一幅、同一高さを有する開口した扁平な箱状に形成されており、平板部の上下および左側が後方へ略直角に折り曲げられた状態になっている。さらに、上面および下面の前方の端縁は、それぞれ、下側、上側に折り返されており、それらの折返し部分が平板部とともに、上カバー２３の上下の係合片３２，３２と係合する係合溝３３を形成した状態になっている。そして、上面および下面には、それぞれ、４個のネジ螺着部３０，３０・・が、上カバー２３のネジ保持部２５，２５・・と同一間隔で同一直線状に位置するように突設されている。各ネジ螺着部３０，３０・・は、直方体状に形成されており、中央に穿設されたネジ孔に、上カバー２３のネジ保持部２５，２５・・内の封印ネジ１３あるいは封印ネジ１４を螺合可能なネジ溝（図示せず）が穿設されている。
【００４８】
かかる制御装置２１は、基板２２と一体になった上カバー２３の上下の係合片３２，３２を、下カバー２４の上下に設けられた係合溝３３，３３内に挿入し、上カバー２３と下カバー２４とを重ねるように左右方向にスライドさせることによって組み付けられている。そして、その状態において、上カバー２３上面の最も右側のネジ保持部２５の筒状部を、ワンウェイクラッチタイプの封印ネジによって、下カバー２４の上側の最も右側のネジ螺着部３０に螺着するとともに、上カバー２３下面の最も左側のネジ保持部２５の筒状部を、非ワンウェイクラッチタイプの封印ネジによって、下カバー２４の下側の最も左側のネジ螺着部３０に螺着することによって、上カバー２３と下カバー２４とが相対的に動かないように固定されている。
【００４９】
［第二実施形態に係るパチンコ機の効果］
上記の如く構成された制御装置２１においても、封印ネジ１３がほぼ完璧な封印機能を発揮するため、取付片１０，１０を切断することなく上カバー６が不正に取り外される事態が効果的に防止される。したがって、制御装置２１を備えたパチンコ機８１’によれば、制御装置２１の内部に搭載された制御素子（ＲＯＭ等）の不正取り替え、不正改造を効果的に防止することが可能となる。
【００５０】
加えて、パチンコ機８１’は、制御装置２１の上カバー２３の上面のネジ保持部２５，２５・・には、ワンウェイクラッチタイプの封印ネジ（第一実施形態の封印ネジ１３と同様のもの）が使用されており、下面のネジ保持部２５，２５・・には、非ワンウェイクラッチタイプの封印ネジ（第一実施形態の封印ネジ１４と同様のもの）が使用されているため、全てのネジ保持部の筒状部にワンウェイクラッチタイプの封印ネジ１３を使用した場合に比べて、安価に構築することができる。
【００５１】
また、パチンコ機８１’の制御装置は、上記の如く、スライド式の上カバー２３および下カバー２４によって基板２２が覆われているため、スライド機構を有さない合着式の上下カバーによって基板が覆われたものと異なり、上カバー２３の上面あるいは下面の一つのネジ保持部２５のみが下カバー２４のネジ螺着部３０に螺着されていれば、当該ネジ保持部のネジを外したり取付片２７を切断することなく（痕跡を残すことなく）上カバー２３と下カバー２４とを分離することが不可能である。それゆえ、パチンコ機８１’は、上記の如く、制御装置２１の上カバー２３の上面のみにワンウェイクラッチタイプの封印ネジが使用されており、上カバー２３の下面には非ワンウェイクラッチタイプの封印ネジが使用されているにも拘わらず、取付片２７，２７を切断することなく上カバー２３が不正に取り外されて制御装置２１内の制御素子が不正に取り替えられたり改造されたりする事態を、きわめて高い精度で効果的に防止することができる。
【００５２】
［遊技機の変更例］
なお、本発明の遊技機の構成は、上記実施形態の態様に何ら限定されるものではなく、制御装置（基板、上カバー、下カバー、ワンウェイタイプの封印ネジ等）の形状、構造等の構成を本発明の趣旨を逸脱しない範囲内で適宜変更することができる。
【００５３】
たとえば、制御装置の上カバーの各上固着翼に設けるネジ保持部の個数や、下カバーの左右の各下固着翼に設ける取付タブの個数は、４個に限定されず、３個以下あるいは５個以上でも良い。また、各上固着翼とネジ保持部とを連結する取付片の個数も、２個に限定されず、１個でも良いし、３個以上でも良い。さらに、上固着翼や下固着翼の設置位置は、上下カバーの左右両端縁に限定されず、上下カバーの上下両端縁でも良い。
【００５４】
また、ワンウェイタイプの封印ネジは、上記実施形態の如く、回転部材の周囲に設けられたコイルスプリングの一端を回転操作部材の内面に止めたものに限定されず、雄ネジ部、回転部材、コイルスプリング、回転操作部材、リング部材、ワッシャー等の形状、構造等の構成を必要に応じて適宜変更することができる。
【００５５】
図９は、封印ネジの変更例を示したものであり、この封印ネジ７１は、コイルスプリング６３を回転操作部材６４の内側に、一定の圧入代をもってはめ込み、回転操作部材６４を回転させたとき、当該コイルスプリング６３が拡径するようにしたもので、以下にはさらに詳しく説明する。この封印ネジ７１の回転部材６２の外側には、軸線に平行にした掛け止溝６２ｂを形成するとともに、この掛け止溝６２ｂの下端を回転部材６２の下端に開放している。一方、コイルスプリング６３は、その外径を回転操作部材６４の内径よりも多少大きくして、コイルスプリング６３に圧入代を確保している。このようにしたコイルスプリング６３の上端すなわち上記フランジ部６２ａに隣接する端部には、内径方向に突出する突出部６３ａを設けている。
【００５６】
そして、上記回転部材６２に回転操作部材６４をかぶせるときには、まず、ワッシャー６６を外した状態で、コイルスプリング６３に回転部材６２を挿入するが、このときには上記突出部６３ａを掛け止溝６２ｂに挿入する。次に、コイルスプリング６３の下端、すなわち突出部６３ａとは反対端をペンチなどで摘んで、このコイルスプリング６３を縮径する方向に回すとともに、この縮径状態を保ったまま、回転操作部材６４を回転部材６２の上からかぶせる。回転操作部材６４を上記のようにしてかぶせたら、コイルスプリング６３の縮径力を開放する。縮径力を開放されたコイルスプリング６３は、その外周を回転操作部材６４の内壁面に圧接させる。つまり、コイルスプリング６３は回転操作部材６４に対して所定の圧入代を確保した状態で圧入された状態を保つ。なお、図９中、符号６１は雄ネジ部、６２ａはフランジ部、６４ａは覆部、６５はリング部材であって、それらは第１実施形態と全く同様に機能するものである。
【００５７】
上記のようにした封印ネジ７１を使用するときには、上記実施形態の場合と同様に、回転操作部材６４を、上記雄ネジ部を締め付ける方向に回す。このとき、コイルスプリング６３の圧入代分の力が作用しているので、雄ネジ部６１の回転トルクが小さければ、回転操作部材６４の回転力で雄ネジ部６１を回すことができる。雄ネジ部６１がねじ込まれてその回転トルクが大きくなれば、回転操作部材６４と、雄ネジ部６１および回転部材６２とがわずかではあるが相対回転する。このときにコイルスプリング６３はその圧入代分の力で回転操作部材６４側と一体回転するとともに、突出部６３ａは回転部材６２と一体回転する。これによって、コイルスプリング６３が拡径して、回転操作部材６４をその拡径力で保持し、回転操作部材６４の回転力を、コイルスプリング６３および回転部材６２を介して雄ネジ部６１に伝達する。したがって、雄ネジ部６１は回転操作部材６４の強い力で締め付けられることになる。
【００５８】
上記のように雄ネジ部６１が回転操作部材６４の回転力で締め付けられて、それがネジ終端に達し、それ以上雄ネジ部６１が回転できなくなった状態で、回転操作部材６４をさらに回転させようとしたときには、回転操作部材６４の回転トルクが、コイルスプリング６３のロックトルクに打ち勝ち、コイルスプリング６３が回転操作部材６４と相対回転し始める。この状態では、回転操作部材６４をどのように強い力で回しても、それが空回転することになる。上記以外の構成および作用効果は、上記実施形態の封印ネジ１３と全て同じである。また、コイルスプリング６３の巻き方向や突出部６３ａの位置、および各部材の材質に関しても上記実施形態の封印ネジ１３について説明したことと同じである。
【００５９】
図１０は、封印ネジの別の変更例を示したものであり、この封印ネジ７２の雄ネジ部６１に一体に設けた回転部材６２は、上方に向けて開口する凹部６２ｃを形成するとともに、この凹部６２ｃの内面には、軸線に平行な掛け止溝６２ｂを形成している。一方、回転操作部材６４は覆部６４ａを形成するとともに、この覆部６４ａの内側に雄ネジ部６１と軸心を同じにした円柱部６４ｃを形成している。そして、上記円柱部６４ｃにコイルスプリング６３を前記したと同様の圧入代を確保してはめるとともに、このコイルスプリング６３の下端に外径方向に突出させた突出部６３ａを設け、この突出部６３ａを上記掛け止溝６２ｂに挿入している。
【００６０】
なお、図１０中、６１は雄ネジ部、６５はリング部材、６６はワッシャーであって、それらは上記実施形態の封印ネジ１３と全く同様に機能するものである。このようにした封印ネジ７２においては、雄ネジ部６１を締める方向に回転操作部材６４を回したとき、コイルスプリング６３は縮径するものである。なお、上記以外の構成および作用効果は、上記実施形態の封印ネジ１３と全て同じである。また、コイルスプリング６３の巻き方向や突出部６３ａの位置、および各部材の材質に関しても上記実施形態の封印ネジ１３について説明したことと同じである。
【００６１】
図１１は、封印ネジの別の変更例を示したものであり、この封印ネジ７３の雄ネジ部６１に一体に設けた回転部材６２は、上方に向けて開口する凹部６２ｃを形成している。一方、回転操作部材６４は覆部６４ａを形成するとともに、この覆部６４ａの内側に雄ネジ部６１と軸心を同じにした円柱部６４ｃを形成している。そして、上記円柱部６４ｃの外側には軸線に平行な掛け止溝６４ｂを形成している。また、上記凹部６２ｃにはコイルスプリング６３をはめるが、このコイルスプリング６３には、前記したと同様の圧入代を確保して、その外周を凹部６２ｃの内壁に圧接させるとともに、このコイルスプリング６３の下端に内径方向に突出させた突出部６３ａを設け、この突出部６３ａを上記掛け止溝６４ｂに挿入している。
【００６２】
なお、図１１中、６１は雄ネジ部、６５はリング部材、６６はワッシャーであって、それらは上記実施形態の封印ネジ１３と全く同様に機能するものである。このようにした封印ネジ７３においては、雄ネジ部６１を締める方向に回転操作部材６４を回したとき、コイルスプリング６３は拡径するものである。なお、上記以外の構成および作用効果は、上記実施形態の封印ネジ１３と全て同じである。また、コイルスプリング６３の巻き方向や突出部６３ａの位置、および各部材の材質に関しても上記実施形態の封印ネジ１３について説明したことと同じである。
【００６３】
図１２は、封印ネジの別の変更例を示したものであり、この封印ネジ７４は、雌ネジ部７と回転部材８とを一体化したものである。言い換えると、回転部材８に雌ネジ部７を形成したものである。そして、回転部材８とコイルスプリング６３および回転操作部材６４との関係は、上記実施形態の封印ネジ１３と全く同じである。また、封印ネジ７４は、上記実施形態の封印ネジ１３における雄ネジ部６１の代わりに、これを雌ネジ部７としたものであるが、前記した封印ネジ７１〜７３のそれぞれについても、その雄ネジ部６１に代えて雌ネジ部としてもよいものである。
【００６４】
なお、図１２中、３ａは突出部、４ａは覆部、４ｂは掛け止溝、６５はリング部材、８ａはフランジ部であって、それらは上記実施形態の封印ネジ１３と全く同様に機能するものである。また、上記以外の構成および作用効果は、上記実施形態の封印ネジ１３と全て同じである。また、コイルスプリング６３の巻き方向や突出部６３ａの位置、および各部材の材質に関しても上記実施形態の封印ネジ１３について説明したことと同じである。
【００６５】
加えて、遊技機に搭載する制御装置は、上記実施形態の如く、上カバーと下カバーとを合着させて、それらのカバーの両端を封印ネジで螺着するものや、下カバーの上面において上カバーをスライドさせることによって上カバーと下カバーとを重ね合わせ、その状態で、封印ネジによって上カバーと下カバーとを一箇所あるいは複数箇所で螺着するものに限定されず、嵌合凹部内への嵌合突起の嵌め込み等の方法によって上下カバーの一側面を固着するとともに、上下カバーの対向する側面を封印ネジによって一箇所あるいは複数箇所で螺着するものに変更することも可能である。かかる構成を採用した場合でも、下カバーの上面において上カバーをスライドさせることにより上下カバーを重ね合わせて封印ネジで螺着するものとした場合と同様に、上下カバーを一箇所のみにおいて封印ネジで螺着することによって開放不能（痕跡を残すことなく開放不能）なものとすることができる。
【００６６】
また、遊技機に搭載する制御装置を、上記第一実施形態の如く、上カバーと下カバーとを合着させて、それらのカバーの両端を封印ネジで螺着するものとする場合には、封印ネジの設置態様は、上カバーの左上方のネジ保持部、および、右下方のネジ保持部に、ワンウェイクラッチタイプの封印ネジを設置し、左上方以外のネジ保持部、および、右下方以外のネジ保持部に、非ワンウェイクラッチタイプの封印ネジを設置する態様に限定されず、上カバーの片側のネジ保持部に、ワンウェイクラッチタイプの封印ネジを設置し、対向する側のネジ保持部に、非ワンウェイクラッチタイプの封印ネジを設置する態様や、場所に関係なく所定個数のネジ保持部のみにワンウェイクラッチタイプの封印ネジを設置し、その他のネジ保持部に非ワンウェイクラッチタイプの封印ネジを設置する態様等に変更することも可能である。
【００６７】
さらに、遊技機に搭載する制御装置を、上記第二実施形態の如く、下カバーの上面において上カバーをスライドさせることにより上下カバーを重ね合わせて封印ネジで螺着するものとする場合には、封印ネジの設置態様は、上カバーの片側方のネジ保持部に、ワンウェイクラッチタイプの封印ネジを設置し、対向する他の側方のネジ保持部に、非ワンウェイクラッチタイプの封印ネジを設置する態様に限定されず、上カバーの対向する両側方の特定位置のネジ保持部に、ワンウェイクラッチタイプの封印ネジを設置し、その他のネジ保持部に、非ワンウェイクラッチタイプの封印ネジを設置する態様や、場所に関係なく所定個数のネジ保持部のみにワンウェイクラッチタイプの封印ネジを設置し、その他のネジ保持部に非ワンウェイクラッチタイプの封印ネジを設置する態様等に変更することも可能である。
【００６８】
加えて、遊技機に搭載する制御装置は、上記各実施形態の如く、ワンウェイクラッチタイプの封印ネジを設置するネジ保持部を非ワンウェイクラッチタイプの封印ネジを設置するネジ保持部より大径にしたものに限定されず、両者を同じ大きさにしたものでも良い。
【００６９】
また、本発明に係る遊技機は、一つの制御装置が設置されており、当該制御装置の封印ネジとして、ワンウェイクラッチタイプの封印ネジと非ワンウェイクラッチタイプの封印ネジとを用いたものに限定されず、複数の制御装置が設置されており、それらの内のいずれかの一つあるいは複数の制御装置の封印ネジとして、ワンウェイクラッチタイプの封印ネジを用い、その他の制御装置の封印ネジとして、非ワンウェイクラッチタイプの封印ネジを用いたものに変更することも可能である。なお、かかる構成を採用する場合の封印ネジの使用態様の一つとして、ペンチ等の工具を使用し易い場所に設置された制御装置の封印ネジとして、ワンウェイクラッチタイプの封印ネジを用い、工具を使用しにくい場所（各種の部材、部品が狭いスペースの中に込み入った状態で設置された場所等）に設置された制御装置の封印ネジとして、非ワンウェイクラッチタイプの封印ネジを用いる態様を挙げることができる。かかる態様を用いた場合には、より少ないワンウェイクラッチタイプの封印ネジの使用で、きわめて高い不正行為防止性能を発現させることが可能となる。
【００７０】
さらに、本発明に係る遊技機は、設置された複数の制御装置のケース（ボックス）毎に異なる封印ネジを用いたものでも良い。加えて、制御装置毎に、ワンウェイクラッチタイプの封印ネジを異ならせることも可能である。また、３種類以上の制御装置がある場合（たとえば、主基板と２つ以上のサブ基板がある場合）には、３種類以上のワンウェイクラッチタイプの封印ネジを使用し、主基板のボックス、第一のサブ基板ボックス、第二のサブ基板ボックス・・・に使用するワンウェイクラッチタイプの封印ネジを、それぞれ、封印ネジ（１）、封印ネジ（２）、封印ネジ（３）・・・として、各制御装置に使用するワンウェイクラッチタイプの封印ネジをそれそれ異ならせることも可能である。
【００７１】
また、設置された各制御装置のボックス毎に異なるワンウェイクラッチタイプの封印ネジを用いる場合には、各制御装置のボックスに対応させて、各ボックス毎に、使用する封印ネジの頭部の大きさを異ならせることも可能である。
【００７２】
一方、複数種類のワンウェイクラッチタイプの封印ネジを用いる場合には、異なるワンウェイクラッチタイプの封印ネジ毎に、当該封印ネジの頭部の色を変更しても良い。 かかる構成を採用することにより、封印ネジの大きさが異なる場合に、大きさの差がわずかであっても容易に各ネジが同一であるか否かを把握することができ、封印ネジでケース（ボックス）を封印する際に、封印ネジの締着場所の誤認を防止することができるようになる。
【００７３】
また、３種類以上の制御装置がある場合（主基板と２つ以上のサブ基板がある場合）には、主基板ボックスに、ワンウェイクラッチタイプの封印ネジを使用し、その他のボックスに、非ワンウェイクラッチタイプの封印ネジ（かしめネジ) を使用することも可能である。なお、かかる構成を採用する場合には、主基板ボックス以外のボックスを通常のネジで封印することも可能である。そのように制御装置（基板）の重要性を考慮し、防犯性を高める必要があるものと防犯性を高める必要がないものとで複数種類の封印ネジ（あるいは通常のネジ）を使い分けることにより、遊技機を安価に構築することが可能となる。
【００７４】
一方、ワンウェイクラッチタイプの封印ネジは、上記実施形態の如く、ヘッド部上側の形状、大きさや色の少なくとも何れかを非ワンウェイクラッチタイプの封印ネジと異ならせたものに限定されず、ヘッド部上側の形状、大きさや色を非ワンウェイクラッチタイプの封印ネジと同じにし、上部から見た場合に見分けがつかないように形成したものでも良い。複数の制御装置のボックス毎に異なるワンウェイクラッチタイプの封印ネジを用いる態様において、そのような構成を採用した場合には、制御装置（基板）の重要性を考慮し、防犯性を高める必要があるものと防犯性を高める必要がないものとで複数種類の封印ネジを使い分けることが可能である上、上部から見ても封印ネジの外観が同じなので、防犯性を高めた制御装置（基板）か否かが見た日で認識しし辛くなるため、“ワンウェイクラッチタイプの封印ネジを用いて防犯性を高めた制御装置”＝“重要性の高い制御装置”と認識されることにより当該制御装置に不正行為の的が絞られる事態を回避できるため、防犯性が一層向上する。
【００７５】
また、一つの制御装置のボックスにおいて異なるワンウェイクラッチタイプの封印ネジを用いる場合でも、同様に、ワンウェイクラッチタイプの封印ネジを、ヘッド部上側の形状、大きさや色を非ワンウェイクラッチタイプの封印ネジと同じにし、上部から見た場合に見分けがつかないように形成したものとすることも可能である。かかる構成を採用する場合には、たとえば、封印する際に同時に使用する最初の１組目のみをワンウェイクラッチタイプの封印ネジとして、その他の組 (たとえば、２組目以降) を非ワンウェイクラッチタイプの封印ネジとすることも可能である。本来、制御装置のボックス（かしめボックス）は、最初に止める１組目の封印ネジで封印していることが多く、修理等のために当該ボックスを頻繁に開放したり、外部機関の不正チェックのために当該ボックスを頻繁に開放したりしない限り、２組日以降の封印ネジが使用されることは少ない。よって、最初の１組目の封印ネジによるセキュリティ一性を高めることを重点的に意図する場合には、上記の如く、最初の１組目のみをワンウェイクラッチタイプの封印ネジとしてその他の組を非ワンウェイクラッチタイプの封印ネジとする方法は、有効である。
【００７６】
加えて、複数の制御装置のボックスにおいて異なるワンウェイクラッチタイプの封印ネジを用いる場合には、３種類以上のワンウェイクラッチタイプの封印ネジを組み合わせて用いることが可能であるし、使用する封印ネジの内の少なくとも１種類を、ワンウェイクラッチタイプの封印ネジとし、その他の封印ネジとして、複数種類の非ワンウェイクラッチタイプの封印ネジを使用することも可能である。
【００７７】
また、一つの制御装置のボックスにおいて異なるワンウェイクラッチタイプの封印ネジを用いる場合でも、３種類以上のワンウェイクラッチタイプの封印ネジを組み合わせて用いることが可能であるし、使用する封印ネジの内の少なくとも１種類を、ワンウェイクラッチタイプの封印ネジとし、その他の封印ネジとして、複数種類の非ワンウェイクラッチタイプの封印ネジを使用することも可能である。
【００７８】
なお、上記実施形態においては遊技機がパチンコ機である場合の一例について説明したが、本発明の遊技機は、スロットマシーンやテレビゲーム等のパチンコ機以外の遊技機でも良い。
【符号の説明】
【００７９】
１，２１・・制御装置
４ａ，４ｂ，２２・・基板
５，２４・・下カバー
６，２３・・上カバー
８・・制御素子  
９，２５・・ネジ保持部
１０，２７・・取付片
１３・・ワンウェイクラッチタイプの封印ネジ
１４・・非ワンウェイクラッチタイプの封印ネジ
６１・・雄ネジ部
６２・・回転部材
６３・・コイルスプリング
６４・・回転操作部材
６４ａ・・覆部
６７・・雌ネジ部
６８・・回転部材
８１・・パチンコ機
【図１】
2011041714.tif 000003
【図２】
2011041714.tif 000004
【図３】
2011041714.tif 000005
【図４】
2011041714.tif 000006
【図５】
2011041714.tif 000007
【図６】
2011041714.tif 000008
【図７】
2011041714.tif 000009
【図８】
2011041714.tif 000010
【図９】
2011041714.tif 000011
【図１０】
2011041714.tif 000012
【図１１】
2011041714.tif 000013
【図１２】
2011041714.tif 000014